(57)【要約】  本発明は、高い所要圧力及び僅かな所要体積流量を備えたクラッチと、僅かな所要圧力及び高い所要体積流量とを備えたオートマチックトランスミッションとを有する液圧系統用の圧力媒体サプライ装置に関する。
2009529624.tif 000002
【特許請求の範囲】
【請求項１】
高い所要圧力及び僅かな所要体積流量を備えたクラッチと、僅かな所要圧力及び高い所要体積流量を備えたオートマチックトランスミッションとを有する液圧系統用の圧力媒体サプライ装置において、クラッチとオートマチックトランスミッションとが、同じポンプモータコンビネーションによってサプライされることを特徴とする、クラッチ及びオートマチックトランスミッション用の圧力媒体サプライ装置。
【発明の詳細な説明】
【技術分野】
【０００１】
本発明は、高い所要圧力及び僅かな所要体積流量を備えたクラッチと、僅かな所要圧力及び高い所要体積流量を備えたオートマチックトランスミッションとを有する液圧系統用の圧力媒体サプライ装置に関する。
【０００２】
先行技術として２つの構成を挙げることができる。第１の解決手段は、１つのモータがオートマチックトランスミッションのために液圧的な出力を提供し、もう１つのモータが直接ハイブリッドクラッチを操作する。
【０００３】
第２の可能な解決手段は純粋に液圧的な変換にある。高出力の電動モータが高圧用の大きなポンプを操作する。このシステムは高圧の場合でも低圧の場合でも、高い体積流も低い体積流も提供できるものの、エネルギ的に見て不都合である。なぜならば前記システムは多くの運転点に合わせて最適化することができないからである。
【０００４】
本発明の課題は、従来のオートマチックトランスミッションを有する車両を、可能な限り僅かな手間でハイブリッド車両に改装することができるようにしたい、という点にある。本発明によればこのことは、クラッチとオートマチックトランスミッションとが、同一のポンプモータコンビネーションによってサプライされることにより達成される。このようにオートマチック式のトランスミッションのベースサプライを提供し、クラッチを内燃機関の分離のために操作することができるセパレート式のハイドロリックパワーパックを提供したい。
【０００５】
既に先行技術に記載の解決手段はエネルギ的に極めて不都合である。ハイブリッドクラッチの切離し、及び特に開放状態の維持のためには、高圧下で僅かな体積流量が必要である。しかしオートマチックトランスミッションのサプライのためには、低圧で高い体積流量が必要である。
【０００６】
この矛盾により、モータ設計及びポンプ設計においては妥協することが必要となる。
【０００７】
従ってこの課題の枠内では、パワーパックによって使用される液圧的な出力を減じる可能性のある多数の構成がもたらされた。
【０００８】
本発明に係るクラッチ及びオートマチックトランスミッション用の圧力媒体サプライ装置は、高い所要圧力及び僅かな所要体積流量を備えたクラッチと、僅かな所要圧力及び高い所要体積流量を備えたオートマチックトランスミッションとを有する液圧系統用の圧力媒体サプライ装置において、クラッチとオートマチックトランスミッションとが、同じポンプモータコンビネーションによってサプライされることを特徴とする。
【０００９】
以下に本発明を図１〜６に基づき詳細に説明する。
【００１０】
図１には極めて直接的で簡単な解決手段が記載されている。ポンプが圧力制御弁を介してオートマチックトランスミッションを制御する。圧力制御弁は常に、たとえばバッテリ、電動モータ、発電機といったハイブリッドコンポーネントをパワートレーンにおいて切継ぎするハイブリッドクラッチへの所定のサプライを保証するように圧力を調節する。この場合、ハイブリッドクラッチは方向制御弁によって制御される。つまりハイブリッドクラッチはポジションを維持するために静的な圧力しか必要としていないにもかかわらず、ポンプの全体積流はハイブリッドクラッチの運転圧にする必要がある。
【００１１】
図２によれば圧力アキュムレータが使用される。これによりポンプは短時間高圧を圧送するだけでよく、アキュムレータが充填されている間は、ハイブリッドクラッチはアキュムレータによって制御されるようになっている。つまりアキュムレータが再び空になるまでは、ポンプは僅かな圧力レベルに抗して作動するだけでよい。しかしこのことは、図１において既に使用される圧力制御弁及び方向制御弁に加えて、さらに逆止弁を設けることを意味している。圧力制御弁は、アキュムレータを充填しハイブリッドクラッチを操作する圧力を形成するか、または圧力制御弁は完全に開放され、これにより体積流量は損失なくオートマチックトランスミッションにさらに伝達される。最後の事例では、システムの高圧部分は逆止弁によって閉鎖されるので、アキュムレータ圧は維持される。
【００１２】
図３による実施例では、ハイブリッドクラッチは増圧器を介して開放される。比例弁はポンプからの体積流をオートマチックトランスミッションとハイブリッドクラッチとに分配する。増圧器の面積比は、平均的に必要とされる圧力が、オートマチックトランスミッションの所要量が存在するレベルと同じようなレベルにあるように設計されている。従ってモータとポンプとは理想的な運転点に設計することができる。
【００１３】
図４記載の構成は２連式ポンプを有している。第１の流れは、オートマチックトランスミッションの基本所要量をカバーできるように設計されている。第２の流れは、ハイブリッドクラッチが高い体積流を必要としている限りは、ハイブリッドクラッチの高圧に抗して圧送する必要がある。クラッチの運動が望まれない場合には、第２の流れの体積流は方向制御弁によって第１の流れの循環内に迂回される。
【００１４】
図５記載の構成は同様に２連式ポンプを有しているものの、ここでは流れの比率は異なって設計されている。ハイブリッドクラッチの開放中にはオートマチックトランスミッション用の体積流は必要にならないので、比較的大きな流れはそれぞれ比較的大きな所要体積流量を有する部分を操作するように切り換えられる。従って図４記載の構成と比べて、比較的大きな流れが、開放されたハイブリッドクラッチの圧力を持続的に維持しなければならないということを避けることができる。
【００１５】
図６記載の構成では、種々異なる要求間の差異をさらに減じるために、ここでは図３及び図５記載の構成の利点を組み合わせたい。選択的には図４の構成と図３の構成とを組み合わせることができるが、ここでは図示しない。つまりここでは２連式ポンプによって増圧器とオートマチックトランスミッションとを操作する構成である。こうしてここでも、それぞれ比較的高い所要体積流量をカバーするために、比較的大きな流れが利用される。このことは図面に明示されている。増圧比の適切な設定は、ハイブリッドクラッチとオートマチックトランスミッションとの極めて種々異なる要求を互いにほぼ完全に調和することができるということを保証する。
【図面の簡単な説明】
【００１６】
【図１】一実施例を示した図である。
【図２】別の一実施例を示した図である。
【図３】さらに別の一実施例を示した図である。
【図４】さらに別の一実施例を示した図である。
【図５】さらに別の一実施例を示した図である。
【図６】さらに別の一実施例を示した図である。
【図１】
2009529624.tif 000003
【図２】
2009529624.tif 000004
【図３】
2009529624.tif 000005
【図４】
2009529624.tif 000006
【図５】
2009529624.tif 000007
【図６】
2009529624.tif 000008
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
高い所要圧力及び僅かな所要体積流量を備えたクラッチと、僅かな所要圧力及び高い所要体積流量を備えたオートマチックトランスミッションとを有する液圧系統用の圧力媒体サプライ装置において、クラッチとオートマチックトランスミッションとが、同じポンプモータコンビネーションによってサプライされることを特徴とする、クラッチ及びオートマチックトランスミッション用の圧力媒体サプライ装置。
【請求項２】
ハイブリッドクラッチとオートマチックトランスミッションとが増圧器を介してサプライされる、請求項１記載の圧力媒体サプライ装置。
【請求項３】
逆止弁が、一つにはポンプモータコンビネーションと増圧器との間、もう一つには増圧器と圧力制御弁との間に配置されている、請求項１又は２記載の圧力媒体サプライ装置。
【請求項４】
ハイブリッドクラッチとオートマチックトランスミッションとが、増圧器を介してサプライされる、請求項１記載の圧力媒体サプライ装置。
【請求項５】
ポンプモータコンビネーションと増圧器との間に比例弁が配置されている、請求項１又は４記載の圧力媒体サプライ装置。
【請求項６】
高い所要圧力及び僅かな所要体積流量を備えたクラッチと、僅かな所要圧力及び高い所要体積流量を備えたオートマチックトランスミッションとを有する液圧系統のための圧力媒体サプライ装置において、ハイブリッドクラッチとオートマチックトランスミッションとが、２連式ポンプモータコンビネーションによってサプライされることを特徴とする、クラッチ及びオートマチックトランスミッション用の圧力媒体サプライ装置。
【請求項７】
一つには２連式ポンプモータコンビネーションとハイブリッドクラッチとの間、もう一つには２連式ポンプモータコンビネーションとオートマチックトランスミッションとの間に方向制御弁が配置されている、請求項６記載の圧力媒体サプライ装置。
【請求項８】
方向制御弁とハイブリッドクラッチとの間に増圧器が配置されている、請求項６又は７記載の圧力媒体サプライ装置。
【国際調査報告】
2009529624.tif 000009
2009529624.tif 000010
2009529624.tif 000011
2009529624.tif 000012
2009529624.tif 000013
2009529624.tif 000014